(57)【要約】【課題】商品を吊り下げる吊り杆が支持する支持部材に軸杆を装着し、装着されている軸杆を基点に、吊り杆を上下方向にスライドさせたり、吊り杆を軸杆を基点に左右方向に自在に回動させて、与えられた陳列スペースを有効活用し、空間を極めて少なくして、多種類の商品を大量に引掛け段階式にして吊り下げを可能にした商品陳列用吊り装置を提供する。【解決手段】垂直状固定体の前方に、所定の角度で傾斜する一本ないし複数本の軸杆を装着する傾斜状支持部材を取着し、軸杆に対し左右何れかの方向に回動したりあるいは上方向もしくは下方向にスライド可能な自在支持部を軸杆に所定間隔おきに取着し、前方部に吊り杆部を、後方部に後方基部を有する吊り杆を別設し、自在支持部に前記吊り杆の後方基部を接着する。【選択図】    図１
2007159704.tif 000002
【特許請求の範囲】
【請求項１】
垂直状固定体の前方に、所定の角度で傾斜する一本ないし複数本の軸杆を装着する傾斜状支持部材を取着し、前記軸杆に対し左右何れかの方向に回動したりあるいは上方向もしくは下方向にスライド可能な自在支持部を前記軸杆に所定間隔おきに取着し、前方部に吊り杆部を、後方部に後方基部を有する吊り杆を別設し、前記自在支持部に前記吊り杆の後方基部を接着することを特徴とする商品陳列用吊り装置。
【請求項２】
垂直状固定体の前方に、前記固定体に対し約１０〜３０度で傾斜する一本ないし複数本の軸杆を装着する傾斜状支持部材を取着し、前記軸杆に対し左右何れかの方向に回動したりあるいは上方向もしくは下方向にスライド可能な自在支持部を前記軸杆に対し稍直角状にして、且所定間隔おきに捲回状にして取着し、前方部に吊り杆部を、後方部に後方基部を有する吊り杆を別設し、前記自在支持部に前記吊り杆の後方基部を挿込み固定具を介して接着することを特徴とする商品陳列用吊り装置。
【請求項３】
前記吊り杆の吊り杆部を、組立て後の形状が水平状より稍上向き状に形成することを特徴とする請求項１又は請求項２記載の商品陳列用吊り装置。
【請求項４】
前記軸杆を径が均一にして、且直線状であることを特徴とする請求項１又は請求項２又は請求項３記載の商品陳列用吊り装置。
【請求項５】
前記自在支持部を該支持部の基部に前記軸杆を外側より捲廻する嵌挿状の捲廻部を設け、且前記吊り杆の吊り杆部が挿込む挿込み部を形成せしめる対称的な板部材を折曲対向し、前記板部材に小孔を設け前記小孔に止め具を螺着せしめることを特徴とする請求項１又は請求項２又は請求項３又は請求項４記載の商品陳列用吊り装置。
【請求項６】
前記吊り杆の吊り杆部と後方基部との間に連結杆を形成せしめることを特徴とする請求項１又は請求項２又は請求項３又は請求項４又は請求項５記載の商品陳列用吊り装置。
【発明の詳細な説明】
【技術分野】
【０００１】
本発明は、商品の陳列展示のために吊り下げる吊り下げ装置が上下方向にスライドしたり、あるいは左右何れかの方向に自在に回動せしめることができる商品陳列用吊り装置の技術分野に関するものである。
【背景技術】
【０００２】
従来商品を陳列する吊り下げ装置として、実開平７−２８４６５の公開実用新案公報がある。そして前記考案を構成する吊り下げ装置を構成する商品を吊り下げる吊り杆１３は、左右何れかの方向にスライドすることが構成上可能であるが、しかし上下方向に自在に移動させたり、さらに前記吊り杆１３を左右何れかの方向に回動させることも機構上できなかった。
【０００３】
さらに従来商品を陳列する吊り下げ装置として、第３０２２１９９号の登録実用新案公報が開示されている。この考案の商品陳列用吊り装置を構成する商品１０を吊り下げる吊支杆７は、フック９に対し直角状にして、しかも水平状に取着されており、前記吊支杆７を上下方向にスライド式にしてスライドさせたり、あるいは基板８を基部にして左右両サイドに回動させることはできなかった。
【特許文献１】実開平７−２８４６５公開実用新案公報
【特許文献２】第３０２２１９９号登録実用新案公報
【発明の開示】
【発明が解決しようとする課題】
【０００４】
従来開示の前記２件の考案の商品を陳列する陳列用吊り下げ装置を構成する吊り杆１３及び吊支杆７は、上下方向に所定の位置にスライド方式にしてスライドさせることが不可能であった。
【０００５】
さらに前記吊り杆１３及び吊支杆７を左右何れかの方向に回動させることもできない構造であった。
【０００６】
しかるに本発明は、商品を吊り下げる吊り杆が吊り杆を支持する支持部材に軸杆を装着し、装着されている軸杆を基点に、前記吊り杆を上下方向にスライドさせたり、あるいは前記吊り杆を前記軸杆を基点に左方向もしくは右方向に自在に回動させて、与えられた陳列スペースを極めて有効に活用して、空間を極めて少なくして、多種類の商品をしかも大量に引掛け段階式にして吊り下げを可能にした。
【０００７】
さらに本発明は、商品の寸法、形状等に即応させて吊り下げの位置を自在に調整し、商品陳列のバランスをとり、需要者らの注目度を従来のものに比し著しく高めるようにした。
【課題を解決するための手段】
【０００８】
本発明の課題を解決するための手段は以下のとおりである。
【０００９】
請求項１記載の発明は、垂直状固定体の前方に、所定の角度で傾斜する一本ないし複数本の軸杆を装着する傾斜状支持部材を取着し、前記軸杆に対し左右何れかの方向に回動したりあるいは上方向もしくは下方向にスライド可能な自在支持部を前記軸杆に所定間隔おきに取着し、前方部に吊り杆部を、後方部に後方基部を有する吊り杆を別設し、前記自在支持部に前記吊り杆の後方基部を接着することを特徴とする商品陳列用吊り装置である。
【００１０】
請求項２記載の発明は、垂直状固定体の前方に、前記固定体に対し約１０〜３０度で傾斜する一本ないし複数本の軸杆を装着する傾斜状支持部材を取着し、前記軸杆に対し左右何れかの方向に回動したりあるいは上方向もしくは下方向にスライド可能な自在支持部を前記軸杆に対し稍直角状にして、且所定間隔おきに捲回状にして取着し、前方部に吊り杆部を、後方部に後方基部を有する吊り杆を別設し、前記自在支持部に前記吊り杆の後方基部を挿込み固定具を介して接着することを特徴とする商品陳列用吊り装置である。
【００１１】
請求項３記載の発明は、前記吊り杆の吊り杆部を、組立て後の形状が水平状より稍上向き状に形成することを特徴とする請求項１又は請求項２記載の商品陳列用吊り装置である。
【００１２】
請求項４記載の発明は、前記軸杆を径が均一にして、且直線状であることを特徴とする請求項１又は請求項２又は請求項３記載の商品陳列用吊り装置である。
【００１３】
請求項５記載の発明は、前記自在支持部を該支持部の基部に前記軸杆を外側より捲廻する嵌挿状の捲廻部を設け、且前記吊り杆の吊り杆部が挿込む挿込み部を形成せしめる対称的な板部材を折曲対向し、前記板部材に小孔を設け前記小孔に止め具を螺着せしめることを特徴とする請求項１又は請求項２又は請求項３又は請求項４記載の商品陳列用吊り装置である。
【００１４】
請求項６記載の発明は、前記吊り杆の吊り杆部と後方基部との間に連結杆を形成せしめることを特徴とする請求項１又は請求項２又は請求項３又は請求項４又は請求項５記載の商品陳列用吊り装置である。
【発明の効果】
【００１５】
請求項１記載の発明は、垂直状固定体の前方に、所定の角度で傾斜する一本ないし複数本の軸杆を装着する傾斜状支持部材を取着し、前記軸杆に対し左右何れかの方向に回動したりあるいは上方向もしくは下方向にスライド可能な自在支持部を前記軸杆に所定間隔おきに取着し、前方部に吊り杆部を、後方部に後方基部を有する吊り杆を別設し、前記自在支持部に前記吊り杆の後方基部を接着する商品陳列用吊り装置なので、軸杆に対し吊り杆を上下方向に自在にスライドしたり、あるいは吊り杆を左右何れかの方向に回転角度を自在に調整しながら操作が可能となり、そのため狭い空間部を有効活用して多品種の商品と、さらに大量の商品を従来のものに対し著しく多く吊り下げ陳列ができる利点がある。
【００１６】
さらに本発明は、商品の寸法及び形状等に応じ需要者らの目に止まり易く陳列の高さや角度を自在に調節しながら陳列せしめることができる。
【００１７】
さらに請求項２記載の発明は、垂直状固定体の前方に、前記固定体に対し約１０〜３０度で傾斜する一本ないし複数本の軸杆を装着する傾斜状支持部材を取着し、前記軸杆に対し左右何れかの方向に回動したりあるいは上方向もしくは下方向にスライド可能な自在支持部を前記軸杆に対し稍直角状にして、且所定間隔おきに捲回状にして取着し、前方部に吊り杆部を、後方部に後方基部を有する吊り杆を別設し、前記自在支持部に前記吊り杆の後方基部を挿込み固定具を介して接着する商品陳列用吊り装置なので、前記した請求項１記載の発明と同じ効果がある。
【００１８】
また請求項３記載の発明は、前記吊り杆の吊り杆部を、組立て後の形状が水平状より稍上向き状に形成する商品陳列用吊り装置なので、前記した請求項１もしくは請求項２記載の発明と同じ効果がある。
【００１９】
さらに請求項４記載の発明は、前記軸杆を径が均一にして、且直線状である商品陳列用吊り装置なので、前記した請求項１もしくは請求項２もしくは請求項３記載の発明と同じ効果がある。
【００２０】
請求項５記載の発明は、前記自在支持部を該支持部の基部に前記軸杆を外側より捲廻する嵌挿状の捲廻部を設け、且前記吊り杆の吊り杆部が挿込む挿込み部を形成せしめる対称的な板部材を折曲対向し、前記板部材に小孔を設け前記小孔に止め具を螺着せしめる商品陳列用吊り装置なので、前記した請求項１もしくは請求項２もしくは請求項３もしくは請求項４記載の発明と同じ効果を有している。
【００２１】
さらに請求項６記載の発明は、前記吊り杆の吊り杆部と後方基部との間に連結杆を形成せしめる商品陳列用吊り装置なので、前記した請求項１もしくは請求項２もしくは請求項３もしくは請求項４もしくは請求項５記載の発明と同じ効果を有している。
【発明を実施するための最良の形態】
【００２２】
本発明の請求項１〜６記載の発明の商品陳列用吊り装置の実施の形態は、共通しているので図面にもとづき以下のとおり一括して説明する。
【００２３】
図面において、ａは本発明の商品陳列用吊り装置であり、以下の構成からなっている。
【００２４】
１は同装置ａを構成する垂直状固定体であり、形状的に限定しない。
【００２５】
前記垂直状固定体１の前方部２に所定の角度例えば１０〜３０度の範囲内で傾斜する傾斜状支持部材３の上方部４を装着する。
【００２６】
この装着手段は、前記固定体１の前方部２の上方部に取着した引掛け支持部５に、前記傾斜状支持部材３の上方部に形成の引掛け部６を引掛け、前記傾斜状支持部材３を前記固定体１に対し傾斜状態を保持する。
【００２７】
さらに前記傾斜状支持部材３の所定個所例えば表面部３ａに、前記傾斜状支持部材３の上面部７から下方底部８にかけて、径が均一にして、且直線状の軸杆９を１本ないし複数本通常は２本を、前記傾斜状支持部材３より若干浮かせ間隙部１０を有する状態で取着する。
【００２８】
さらに前記傾斜状支持部材３に軸杆９を複数本取着するときは、密接せず若干の間隙を設けて取着する。
【００２９】
図において１１は前記軸杆９に取着する自在支持部であり、形状は図面に図示されたものに限定しない。前記自在支持部１１は、前記軸杆９に対し、上方向もしくは下方向に自在にスライドしたり、さらに前記軸杆９を基軸にして左方向もしくは右方向に回動することを特長としている。そのため前記自在支持部１１の基部は前記軸杆９に対し、外側より捲廻する嵌挿状の捲廻部１２を形成する。そして前記自在支持部１１には、別設の前方部に吊り杆部１５を、後方部に後方基部１６を有する吊り杆１４の中、後方基部１６が挿込まれる挿込部１３を有する対称的な板状部材を折曲して前記捲廻部１２と挿込部１３とを形成する。しかし前記した構造以外に、前記軸杆９に接続し、且前記吊り杆１４を支持できる構造であってもよい。
【００３０】
また本発明は、前記自在支持部１１が前記軸杆９に捲廻し、しかも前記挿込部１３に吊り杆１４の後方基部１６が挿込まれ、且前記後方基部１６が簡単に引出されないように前記板状部材に小孔を設け、前記小孔に止め具１７を螺入し前記板状部材を緊締し組立てる。そのため前記自在支持部１１が前記軸杆９に対し、きつく締付けられたり、ゆるめられたりする。さらに前記吊り杆１４も前記止め具１７によってきつく締め付けられたり、ゆるめられたりする。
【００３１】
前記吊り杆１４の吊り杆部１５は、吊り杆１４の後方基部１６が自在支持部１１に嵌挿しきつく締めつけられたとき、水平状より若干上向き状になるよう形成されている。そのため組立て後は図１に図示のように上向きになっている。
【００３２】
１８は前記吊り杆１４を構成する後方基部１６と前方部の吊り杆部１５との間に形成された連結杆である。
【００３３】
１９は吊り杆部１５に吊り下げた商品である。
【００３４】
つぎに上記のように各部材をもって構成された商品陳列用吊り装置ａの作用を説明すると以下のとおりである。
【００３５】
商品１９を図面図示のとおり前記吊り杆１４の吊り杆部１５に吊下げる。
【００３６】
さらに本発明は、複数の前記自在支持部１１を軸杆９に所定間隔おきに取着する。
【００３７】
そして前記自在支持部１１は、止め具１７をゆるめてやれば、前記軸杆９の上部及び下部へと自在にスライドし、止め具１７を締め付ければ軸杆９の所定位置に確実に取着できる。
【００３８】
さらに前記自在支持部１１は、左右何れかの方向に若干押してやれば回動する。
【００３９】
上記のように前記自在支持部１１を所定の位置及び所定の角度で回動した際、吊り杆１４も比例して移動する。
【００４０】
前記のように自在支持部１１を回動角度を少しづつづらすことによって、垂直状固定体１の前方のスペースに隙き間を少くして有効活用ができる。そのため多数の商品１９を大量に陳列できる。
【００４１】
さらに前記軸杆９は一本より２本の方がより多くの商品１９の吊り下げ展示ができる。
【図面の簡単な説明】
【００４２】
【図１】本発明商品陳列用吊り装置の一部切欠縦断正面図である。
【００４３】
【図２】同吊り杆と自在支持部の正面図である。
【００４４】
【図３】同要部の一部切欠拡大横断平面図である。
【００４５】
【図４】同軸杆一本を使用した要部の一部切欠拡大側面図である。
【００４６】
【図５】同軸杆２本を使用した要部の一部切欠拡大側面図である。
【００４７】
【図６】同第２実施例の一部切欠拡大側面図である。
【符号の説明】
【００４８】
ａ      商品陳列用吊り装置
１      垂直状固定体
２      前方部
３      傾斜状支持部材
４      上方部
５      引掛け支持部
６      引掛け部
７      上面部
８      下方部
９      軸杆
１０    間隙部
１１    自在支持部
１２    捲廻部
１３    挿込部
１４    吊り杆
１５    吊り杆部
１６    後方基部
１７    止め具
１８    連結杆
１９    商品
【図１】
2007159704.tif 000003
【図２】
2007159704.tif 000004
【図３】
2007159704.tif 000005
【図４】
2007159704.tif 000006
【図５】
2007159704.tif 000007
【図６】
2007159704.tif 000008